(57)【特許請求の範囲】
【請求項１】
ターゲット復帰時間（Target  Wake  Time：ＴＷＴ）スケジュールのない端末局（ＳＴＡ）が、アクセスポイント（ＡＰ）の変更の判定又は前記ＡＰとの同期を行えるようにする方法であって、前記方法は、
制御フレームのフレーム制御（Frame  Control：ＦＣ）フィールドの１ビットを用いて、ネクストＴＷＴ（Ｎｅｘｔ  ＴＷＴ）フィールドの有無を示すステップ、
を含み、
前記Ｎｅｘｔ  ＴＷＴフィールドは、前記制御フレームに選択的に存在し、
前記Ｎｅｘｔ  ＴＷＴフィールドは、前記制御フレームの目的受信先に対する次回のターゲット復帰時間の値を含む、
方法。
【請求項２】
前記制御フレームは、ＴＡＣＫフレーム、ＳＴＡＣＫフレーム及びＢＡＴフレームのうち１以上を含むＳ１Ｇ制御フレームである、
請求項１に記載の方法。
【請求項３】
前記ＦＣフィールドの２ビットは、異なる制御フレームを示すのに用いられる、
請求項１又は２に記載の方法。
【請求項４】
前記ＦＣフィールドの１つのサブタイプ値は、前記制御フレームをＳ１Ｇ制御フレーム又はＴＧａｈ制御フレームとして示すのに用いられる、
請求項１〜３のいずれか一項に記載の方法。
【請求項５】
ターゲット復帰時間（Target  Wake  Time：ＴＷＴ）スケジュールのない端末局（ＳＴＡ）が、アクセスポイント（ＡＰ）の変更の判定又は前記ＡＰとの同期を行えるようにするシステムであって、
ある値に設定されるビットを含む制御フレームを生成するように構成される媒体アクセス制御サブレイヤ論理モジュールであって、前記ビットの前記値は、装置が、制御フレームの目的受信先に対する次回のターゲット復帰時間の値を含む任意のネクストＴＷＴ（Ｎｅｘｔ  ＴＷＴ）フィールドに対応するか否かを示し、
前記制御フレームを含む第１のデータユニットをデバイスに送信して、無線ネットワークにおいて前記システムを前記デバイスと関連付けるように構成される送受信機と、
を備えるシステム。
【請求項６】
前記制御フレームは、前記Ｎｅｘｔ  ＴＷＴフィールドの存在を示す（ＦＣ）フィールドを含むフレーム制御ビットを有する、
請求項５に記載のシステム。
【請求項７】
前記制御フレームは、ＴＡＣＫフレーム、ＳＴＡＣＫフレーム及びＢＡＴフレームのうち１以上を含むＳ１Ｇ制御フレームである、
請求項５又は６に記載のシステム。
【請求項８】
前記ＦＣフィールドの２ビットは、異なる制御フレームを示すのに用いられる、
請求項６又は７に記載のシステム。
【請求項９】
前記ＦＣフィールドの１つのサブタイプ値は、前記制御フレームをＳ１Ｇ制御フレーム又はＴＧａｈ制御フレームとして示すのに用いられる、
請求項６〜８のいずれか一項に記載のシステム。
【請求項１０】
請求項１〜４のいずれか一項に記載の方法を装置のコンピュータに実行させるコンピュータプログラム。
【請求項１１】
コンピュータ可読コードを物理的に具現化するコンピュータ可読媒体であって、
前記コンピュータ可読コードは、プロセッサにより実行されると、前記プロセッサに請求項１〜４のいずれか一項に記載の方法を実行させる、
コンピュータ可読媒体。
【請求項１２】
請求項１〜４のいずれか一項に記載の方法を実行する手段を備える電子デバイス。
【請求項１３】
プロセッサを備える電子デバイスであって、
前記プロセッサは、メモリと接続され、請求項１〜４のいずれか一項に記載の方法を実行するための命令を実行する、
電子デバイス。
【請求項１４】
請求項１〜４のいずれか一項に記載の方法を実行する手段を備えるシステム。
【請求項１５】
少なくとも１つの電子デバイスを備えるシステムであって、
前記電子デバイスはプロセッサを有し、前記プロセッサは、メモリと通信し、請求項１〜４のいずれか一項に記載の方法を実行するための命令を実行する、
システム。
【請求項１６】
請求項１〜４のうち何れか一項に記載の方法を装置のコンピュータ実行させるコンピュータ可読命令を記憶する記憶媒体。
【請求項１７】
当該方法は前記制御フレームを生成するステップを更に有し、前記ビットの第１の値は、前記ＴＷＴスケジュールを設定していない端末局が、前記制御フレームに基づいてＡＰを変更すること又はＡＰと同期すること可能にする、請求項１に記載の方法。
【請求項１８】
前記ビットの第１の値は、前記ネクストＴＷＴフィールドが前記制御フレームに存在しないことを示す、請求項１に記載の方法。
【請求項１９】
前記ビットの第１の値は、前記ＴＷＴスケジュールを設定していない端末局が、前記制御フレームに基づいてＡＰを変更すること又はＡＰと同期することを可能にする、請求項５に記載のシステム。
【請求項２０】
前記ビットの第１の値は、前記ネクストＴＷＴフィールドが前記制御フレームに存在しないことを示す、請求項５に記載のシステム。
【発明の詳細な説明】
【技術分野】
【０００１】
本願は、２０１３年４月５日出願の米国仮出願番号第６１／８０９，１２３号からの優先権を主張し、参照することによりその全体を本明細書に援用する。
【０００２】
本明細書に記載の実施形態は、一般に無線通信分野に関する。より詳細には、該実施形態は、無線送信機と無線受信機との間でやりとりされるパケットの制御フレームに関する。
【背景技術】
【０００３】
用語を定義する。（ａ）無線媒体（Wireless  Medium：ＷＭ）は、無線ローカルエリアネットワーク（ＬＡＮ）のピア物理層（ＰＨＹ）実体間でプロトコルデータユニット（ＰＤＵ）の伝送を実行する際に用いられる媒体である。（ｂ）端末局（ＳＴＡ）は、ＩＥＥＥ８０２.１１に準拠し無線媒体に接続する媒体アクセス制御（Medium  Access  Control：ＭＡＣ）と物理層（ＰＨＹ）とを含む任意のデバイスである。（ｃ）アクセスポイント（ＡＰ）は、端末局（ＳＴＡ）機能を有し、関連するＳＴＡに無線媒体を介して配信サービスへのアクセスを提供する任意の実体である。（ｄ）ビーコンフレームは、ＩＥＥＥ８０２.１１系ＷＬＡＮにおける管理フレームのひとつであり、ネットワークに関するあらゆる情報を含む。ビーコンフレームは、無線ＬＡＮネットワークの存在を通知するために、定期的に送信される。ビーコンフレームは、アクセスポイント（ＡＰ）によって、基本サービスセット（Basic  Service  Set：ＢＳＳ）において送信される。ＩＢＳＳ（Independent  BSS）において、ネットワークビーコンの生成は、複数の端末局に分散される。例えば、ビーコンフレームは、ＭＡＣヘッダー、フレーム本体、及びＦＣＳを含むことができ、また、タイムスタンプフィールド、ビーコン間隔フィールド（ビーコン送信間の時間間隔）、性能情報フィールド（１６ビットの長さを有し、デバイス又はネットワークの性能についての情報を含む）等のフィールドを有することができる。
【０００４】
非特許文献１に定義されるＩＥＥＥ（Institute  of  Electrical  and  Electronics  Engineers）８０２.１１ａｈ仕様のフレームワークでは、ＴＡＣＫ（Training  Acknowledge）と呼ばれる制御フレームを定義している。ＴＡＣＫはＡＣＫフレームの変形である。まず送信側デバイスが１以上の隣接データフレームを受信側デバイスに送信すると、受信側デバイスは、ＴＡＣＫフレームを送信側デバイスに返す。該ＴＡＣＫフレームには、該受信側デバイスがデータフレームを通して測定するアダプテーション情報が含まれる。このプロセスは、受信側デバイス及び送信側デバイスの様々な信号パラメータを一致させることにより完了する。
【０００５】
ＴＡＣＫフレームには、ビーコンシーケンス(Beacon  Sequence）フィールド、パーシャルタイムスタンプ（Partial  Timestamp）フィールド及びネクストＴＷＴ（Next  TWT）フィールドが含まれる。この制御フレームは、ＡＰがデータフレームの受領に関して確認応答を行うと同時に、ＳＴＡの更新に必要な情報を送出するために送出される。ＳＴＡＣＫやＢＡＴ等の制御フレームにも、ＴＡＣＫフレームの情報と同様の情報が含まれる。
【非特許文献１】Proposed  Specification  Framework  for  TGah、IEEE  802.11-11/1137r12、https://mentor.ieee.org/802.11/dcn/11/11-11-1137-12-00ah-specificationframework-for-tgah.docx
【非特許文献２】IEEE  Standard  for  Information  Technology-Telecommunications  and  Information  Exchange  Between  Systems-Local  and  Metropolitan  Area  Networks-Specific  Requirements-Part  11:  Wireless  LAN  Medium  Access  Control（MAC)  and  Physical  Layer（PHY)  Specifications、http://standards.ieee.org/getieee802/download/802.11-2007.pdf
【図面の簡単な説明】
【０００６】
【図１】本開示の様々な態様及び原理に係る、複数の固定又はモバイルの通信デバイスを含む例示的無線ネットワークの一実施形態を示す図である。
【図２】本開示の様々な態様及び原理に係る、無線ネットワークにおいて直交周波数分割多重（ＯＦＤＭ）型通信を生成し送信する装置の一実施形態を示す図である。
【図３Ａ】本開示の様々な態様及び原理に係る、ＴＡＣＫフレームと呼ばれる制御フレームの一実施形態を示す図である。
【図３Ｂ】本開示の様々な態様及び原理に係る、ＴＡＣＫフレームの代替の実施形態を示す図である。
【図４Ａ】本開示の様々な態様及び原理に係る、ＴＡＣＫフレームのフレーム制御フィールドの一実施形態を示す図である。
【図４Ｂ】本開示の様々な態様及び原理に係る、ＴＡＣＫフレームのフレーム制御フィールドの代替の実施形態を示す図である。
【図５】本開示の様々な態様及び原理に係る、ＳＴＡＣＫフレームの一実施形態を示す図である。
【図６】本開示の様々な態様及び原理に係る、ＢＡＴフレームの一実施形態を示す図である。
【発明を実施するための形態】
【０００７】
以下に、添付の図面に示される実施形態を詳細に説明する。しかし、記載される詳細の量によって、記載される実施形態について予測される変形が限定されるものではない。反対に、特許請求の範囲及び詳細な説明は、添付の特許請求の範囲により定められる本教示の要旨及び範囲に該当する全ての変更、均等物及び代替を包含するものである。以下の詳細な説明は、当業者が実施形態を理解しやすいように構成されている。
【０００８】
本明細書に記載される実施形態は、ＡＰとターゲット復帰時間（Target  Wake  Time：ＴＷＴ）スケジュールを設定していないＳＴＡが、該ＡＰの変更を判定する目的で、又はビーコンを受信することなく該ＡＰのタイミング同期機能に同期する目的で、Ｎｅｘｔ  ＴＷＴフィールドのオーバーヘッドを発生させることなく制御フレームを利用できるようにするためのものである。一実施形態において、方法は、制御フレームのフレーム制御（Frame  Control：ＦＣ）フィールドの１ビットを用いて、Ｎｅｘｔ  ＴＷＴフィールドの有無を示すステップを含んでよい。該Ｎｅｘｔ  ＴＷＴフィールドは、任意に該制御フレームに含まれる。該Ｎｅｘｔ  ＴＷＴフィールドは、該制御フレームの目的受信先に対する次回のターゲット復帰時間の値を含む。
【０００９】
本明細書に記載の論理回路、モジュール、デバイス及びインターフェースは、ハードウェア及び／又はコードとして実装されてよい機能を実行してよい。ハードウェア及び／又はコードには、ソフトウェア、ファームウェア、マイクロコード、プロセッサ、状態機械、チップセット又は機能性を達成するように設計されたそれらの組み合わせが含まれ得る。
【００１０】
実施形態により、無線通信を容易にすることができる。一部の実施形態において、低電力無線通信（Ｂｌｕｅｔｏｏｔｈ（登録商標）、無線ローカルエリアネットワーク（ＷＬＡＮ）、無線メトロポリタンエリアネットワーク（ＷＭＡＮ）、無線パーソナルエリアネットワーク（ＷＰＡＮ）、セルラーネットワーク、ＩＥＥＥ（Institute  of  Electrical  and  Electronic  Engineers）のＩＥＥＥ８０２．１１‐２００７、非特許文献２、ネットワークでの通信、メッセージングシステム及びスマートデバイスを統合して、そのようなデバイス間のインタラクションを容易にすることができる。更に、無線の一部の実施形態において、単一のアンテナを採用しても、複数のアンテナを採用してもよい。
【００１１】
本開示の様々な実施形態によれば、提示される方法は、例えばＩＥＥＥ８０２.１１仕様に基づく無線通信に関する。提示される方法は、ＡＰとターゲット復帰時間（Target  Wake  Time：ＴＷＴ）スケジュールを設定していないＳＴＡが、オーバーヘッドを発生させることなく制御フレームを利用できるようにするための方法である。該方法は、例えば、制御フレームのフレーム制御（Frame  Control：ＦＣ）フィールドの１ビットを用いて、Ｎｅｘｔ  ＴＷＴフィールドの有無を示すステップを含んでよい。該Ｎｅｘｔ  ＴＷＴフィールドは、任意に該制御フレームに含まれる。該Ｎｅｘｔ  ＴＷＴフィールドは、該制御フレームの目的受信先に対する次回のターゲット復帰時間の値を含む。
【００１２】
様々な実施形態における制御フレームには、ＴＡＣＫフレーム、ＳＴＡＣＫフレーム、ＢＡＴフレーム及び将来８０２.１１仕様に組み込まれ得る他のフレームが含まれてよい。制御フレームが例えばＴＡＣＫフレーム、ＳＴＡＣＫフレーム、ＢＡＴフレーム又は他のフレームであることを示すために、制御フレームのフレーム制御（Frame  Control：ＦＣ）フィールドには、Ｓ１Ｇ制御拡張（Control  Expansion）フィールドが含まれてよい。一部の実施形態において、Ｓ１Ｇ制御拡張フィールドは２ビットであってよい。
【００１３】
図１を参照する。本開示の様々な態様及び原理に係る無線通信システム１０００の実施形態が示されている。無線通信システム１０００は通信デバイス１０１０を含み、通信デバイス１０１０は、有線又は無線でネットワーク１００５に接続される。通信デバイス１０１０は、複数の通信デバイス１０３０，１０５０，１０５５と、ネットワーク１００５を介して無線で通信を行ってよい。通信デバイス１０１０，１０３０，１０５０，１０５５には、センサー、端末局、アクセスポイント、ハブ、スイッチ、ルーター、コンピュータ、ラップトップ、ノートパソコン、携帯電話、ＰＤＡ（Personal  Digital  Assistant）その他無線対応デバイスが含まれてよい。よって、通信デバイス１０１０，１０３０，１０５０，１０５５は、モバイル型でも固定型であってもよい。例えば、通信デバイス１０１０には、近隣の家庭の水消費量を計測する計測局が含まれてよい。近隣の各家庭が通信デバイス１０３０のような通信デバイスを有し、通信デバイス１０３０が水使用量メーターと一体化されるか接続されるようにしてよい。通信デバイス１０３０は、定期的に計測局との通信を開始して、水使用量に関するデータを送信してよい。更に、計測局その他通信デバイスは定期的に通信デバイス１０３０との通信を開始して、例えば通信デバイス１０３０のファームウェアを更新してよい。他の実施形態では、通信デバイス１０３０は通信に応答するのみであり、通信を開始する論理回路を有さないようにしてよい。
【００１４】
更なる実施形態において、通信デバイス１０１０により、データオフロードを容易にすることができる。例えば、低出力センサーである通信デバイスは、例えば計測局へのアクセス待機に費やされる電力消費を低減したり、帯域の利用可能性を増大させたりする目的で、例えばＷｉ−Ｆｉを介して別の通信デバイスや移動体通信ネットワークと通信を行うために、データオフロード構成を有してよい。計測局等のセンサーからデータを受信する通信デバイスは、ネットワーク１００５の混雑状態を軽減する目的で、例えばＷｉ−Ｆｉを介して別の通信デバイスや移動体通信ネットワークと通信を行うために、データオフロード構成を有してよい。当然ながら、本明細書に記載の例は一例に過ぎず、当業者であれば、本明細書の記載に基づいて、他の例及びシステムを想到し得る。
【００１５】
ネットワーク１００５は、複数のネットワークの相互接続を表してよい。例えば、ネットワーク１００５は、インターネットやイントラネット等の広域ネットワークと接続してよく、また、１以上のハブ、ルーター又はスイッチを介して有線又は無線で相互接続されたローカルデバイスと相互接続してよい。本実施形態では、ネットワーク１００５は、通信デバイス１０１０，１０３０，１０５０，１０５５を通信可能に接続する。
【００１６】
通信デバイス１０１０，１０３０は、それぞれメモリ１０１１，１０３１と、媒体アクセス制御（Media  Access  Control：ＭＡＣ）サブレイヤ論理回路１０１８，１０３８とを有する。メモリ１０１１，１０３１は、ＤＲＡＭ（Dynamic  Random  Access  Memory）等のメモリであり、フレーム、プリアンブル及びプリアンブル構造１０１４，１０３４、又はそれらの一部を格納してよい。フレーム（ＭＡＣ層プロトコルデータユニット（MAC  Layer  Protocol  Data  Unit：ＭＰＤＵ）とも呼ばれる）及びプリアンブル構造１０１４，１０３４により、送信側デバイスと受信側デバイスとの同期された通信を確立し、維持することができる。また、プリアンブル構造１０１４，１０３４により、通信形式及び通信速度を定めてよい。具体的には、プリアンブル構造１０１４，１０３４に基づいて生成又は決定されるプリアンブルにより、例えばアンテナアレイ１０２４，１０４４をトレーニングして互いに通信するようにしたり、通信の変調及び符号化の構成（Modulation  and  Coding  Scheme：ＭＣＳ）や通信の帯域幅、送信ベクトル（ＴＸｖｅｃｔｏｒ）の長さ、ビームフォーミングの適用等を定めたりしてよい。
【００１７】
ＭＡＣサブレイヤ論理回路１０１８，１０３８は、フレーム及び物理層プロトコルデータユニット（Physical-layer  Protocol  Data  Unit：ＰＰＤＵ）を生成してよい。より詳細には、フレーム構築部１０１２，１０３２がフレームを生成し、データユニット構築部１０１３，１０３３がＰＰＤＵを生成してよい。データユニット構築部１０１３，１０３３は、フレーム構築部１０１２，１０３２により生成されるフレームを含むペイロードをカプセル化することによって、ＰＰＤＵを生成してよい。本実施形態では、データユニット構築部１０１３，１０３３は、プリアンブル構造１０１４，１０３４にそれぞれ基づくプリアンブルと共にフレームをカプセル化して、１以上のＲＦチャネルで送信されるペイロードにプレフィックスしてよい。データユニット構築部１０１３，１０３３等のデータユニット構築部の機能は、ビット群をプリアンブル及びペイロードを構成する符号語又は符号記号に組み立て、該記号が、アンテナアレイ１０２４，１０４４によりそれぞれ送信される信号に変換されるようにすることである。
【００１８】
各データユニット構築部１０１３，１０３１は、信号フィールド部分１０１５，１０３５を含むプリアンブル構造１０１４、１０３４を供給し、プリアンブル構造１０１４，１０３４に基づいて生成されるプリアンブルを、該プリアンブルが生成されている間及び／又は該プリアンブルが生成された後に、メモリ１０１１，１０３１に格納してよい。本実施形態において、プリアンブル構造１０１４，１０３４は、信号フィールド１０１５，１０３５及びデータペイロードの前に、１つのショートトレーニングフィールド（ＳＴＦ）と、１つのロングトレーニングフィールド（ＬＴＦ）とを含む。ＳＴＦ及びＬＴＦにより、アンテナアレイ１０２２，１０４２をトレーニングして、通信に関する測定（例えば、直交信号間の相対的な周波数変動、振幅変動及び位相変動に関する測定）を行うことにより、互いに通信を行うようにすることができる。具体的には、ＳＴＦは、パケット検出、自動利得制御及び周波数粗推定に用いられてよい。ＬＴＦは、空間チャネルに関するチャネル推定、タイミング及び周波数精推定に用いられてよい。
【００１９】
一部の実施形態において、信号フィールド１０１５，１０３５は、データユニットの無線通信を確立するのに用いられる物理層パラメータに関する情報を提供する。該物理層パラメータには、例えば変調と符号化の構成（Modulation  and  Coding  Scheme：ＭＣＳ）、帯域幅、長さ、ビームフォーミング、時空間ブロック符号（Space-Time  Block  Code）、符号化、集計、ショートガードインターバル（Short  Guard  Interval）、巡回冗長検査（Cyclic  Redundancy  Check：ＣＲＣ）及びテールを提示するパラメータが含まれる。ＣＲＣフィールドには、ハミング距離が１又は２となる４ビットの巡回冗長検査シーケンスが含まれてよい。
【００２０】
通信デバイス１０１０，１０３０，１０５０，１０５５は、それぞれ送受信機（ＲＸ／ＴＸ）を有してよい（例えば送受信機（ＲＸ／ＴＸ）１０２０，１０４０）。各送受信機１０２０，１０４０は、ＲＦ送信機及びＲＦ受信機を有する。各ＲＦ送信機は、電磁放射によるデータ送信のために、デジタルデータをＲＦ周波数に乗せる。ＲＦ受信機は、ＲＦ周波数の電磁エネルギーを受け取り、そこからデジタルデータを抽出する。図１は、例えば４つの空間ストリームを用いるＭＩＭＯ（Multiple  Input-Multiple  Output）システム等、多くの異なる実施形態を示すことができる。また、図１は、通信デバイス１０１０，１０３０，１０５０，１０５５のうち１以上が単一アンテナの受信機及び／又は送信機を有する縮退システムを示すことができ、該システムには、ＳＩＳＯ（Single  Input−Single  Output）システム、ＳＩＭＯ（Single  Input−Multiple  Output）システム及びＭＩＳＯ（Multiple  Input-Single  Output）システムが含まれる。図１の無線通信システム１０００は、ＩＥＥＥ（Institute  for  Electrical  and  Electronics  Engineers）８０２．１１ａｈに準拠するシステムを表すものである。同様に、通信デバイス１０１０，１０３０，１０５０，１０５５は、ＩＥＥＥ８０２.１１ａｈに準拠するデバイスを表すものである。
【００２１】
多くの実施形態において、送受信機１０２０，１０４０は、直交周波数分割多重（Orthogonal  Frequency  Division  Multiplexing：ＯＦＤＭ）を実行する。ＯＦＤＭは、デジタルデータを複数の搬送周波数で符号化する方法である。ＯＦＤＭは、デジタルマルチキャリア変調方法として用いられる、周波数分割多重化である。多数の密集した直交副搬送波信号が、データの搬送に用いられる。データは、複数の並列なデータストリーム又はデータチャネルに分割され、１つのストリーム又はチャネルに各副搬送波が対応する。各副搬送波は、変調構成により低い変調速度で変調され、同じ帯域幅において、従来の単一搬送波変調構成と同様の総データ伝送速度を維持する。
【００２２】
ＯＦＤＭシステムは、データ、パイロット、ガード及びナリング（Nulling）等の機能に対応する複数の搬送波すなわち「トーン」を用いる。データトーンは、チャネルの１つを介して送信機と受信機との間で情報を伝達する際に用いられる。パイロットトーンはチャネルの維持に用いられ、時間や周波数、チャネルトラッキングについての情報を提供することができる。ガードトーンは、マルチパス歪みから発生し得るシンボル間干渉（intersymbol  interference）を回避するために、伝送中のＳＴＦシンボルやＬＴＦシンボル等のシンボル間に挿入することができる。また、このようなガードトーンにより、信号がスペクトルマスクに従うようにすることができる。直接要素（Direct  Component：ＤＣ）のナリングを用いて、直接変換受信機の設計を単純化することができる。
【００２３】
一実施形態において、通信デバイス１０１０は、任意にデジタルビームフォーマー（Digital  Beam  Former：ＤＢＦ）１０２２（点線で示される）を有する。ＤＢＦ１０２２は、情報信号を、アンテナアレイ１０２４の要素に印加される信号に変換する。アンテナアレイ１０２４は、別々に励起可能な個別のアンテナ要素のアレイである。アンテナアレイ１０２４の要素に印加される信号により、アンテナアレイ１０２４は、１〜４つの空間チャネルを放射する。このように形成された各空間チャネルは、通信デバイス１０３０，１０５０，１０５５のうち１以上に、情報を搬送することができる。同様に、通信デバイス１０３０は、通信デバイス１０１０と信号を送受信する送受信機１０４０を有する。送受信機１０４０はアンテナアレイ１０４４を有してよく、また、任意にＤＢＦ１０４２を有してよい。デジタルビームフォーミングと同時に、送受信機１０４０は、ＩＥＥＥ８０２.１１ａｈデバイスと通信を行うことができる。
【００２４】
図２は、本開示の様々な態様及び原理に係る、直交周波数分割多重（ＯＦＤＭ）に基づく通信を無線ネットワークで送信する装置の実施形態を示す図である。該装置は送受信機２００を有し、送受信機２００は、媒体アクセス制御（Medium  Access  Control：ＭＡＣ）サブレイヤ論理回路２０１に接続される。ＭＡＣサブレイヤ論理回路２０１は、物理層プロトコルデータユニット（ＰＰＤＵ）を生成して、送受信機２００を介して送信してよい。
【００２５】
ＭＡＣサブレイヤ論理回路２０１は、フレーム構築部２０２を介してＭＡＣサービスデータユニット（ＭＳＤＵ）をカプセル化することによりＭＳＤＵからＭＡＣプロトコルデータユニット（ＭＰＤＵ）を生成する等の、データリンク層の機能を実行するハードウェア及び／又はコードを有してよい。例えば、フレーム構築部は、フレームが管理フレームなのか、制御フレームなのか、それともデータフレームなのかを特定するタイプフィールドと、該フレームの機能を特定するサブタイプフィールドとを含むフレームを生成してよい。制御フレームは、送信要求（Request  To  Send）フレーム又は受信準備完了（Clear  To  Send）フレームを含むことができる。管理フレームには、ビーコン、プローブ応答（Probe  Response）、アソシエーション応答（Association  Response）、再アソシエーション応答（Reassociation  Response）といった種類のフレームが含まれてよい。管理フレームは、機能情報フィールド等のフィールドを定める１以上のビットを含んでよく、また、拡張機能フィールド（機能情報フィールドを拡張する）を含む情報要素を定める１以上のビットを含んでよい。始めのフレーム制御フィールドに続くデュレーション（Duration）フィールドは、この送信の期間を特定する。そして、データタイプフレームは、データを送信するように設計される。期間フィールドの後にはアドレスフィールドが続き、送信対象の受信機のアドレスを特定する。
【００２６】
ＭＡＣサブレイヤ論理回路２０１は、データユニット構築部２０３を有してもよい。データユニット構築部２０３は、図１に示されるプリアンブル構造１０１４，１０３４等のプリアンブル構造に基づいてプリアンブルを決定して、ＭＰＤＵをカプセル化してＰＰＤＵを生成してよい。多くの実施形態において、データユニット構築部２０３は、メモリから、データフレーム伝送、制御フレーム伝送又は管理フレーム伝送のデフォルトのプリアンブル等のプリアンブルを選択してよい。いくつかの実施形態において、データユニット構築部２０３は、別の通信デバイスから受信されたプリアンブルのデフォルトの値に基づいて、プリアンブルを作成してよい。例えば、フレームに関してＩＥＥＥ８０２.１１ａｈに準拠するデータ収集局は、ＩＥＥＥ８０２.１１ａｈに準拠する無線通信デバイスを搭載した低出力センサーから、データを定期的に受信してよい。センサーは、特定の期間に低電力モードに入り、定期的に復帰してデータを収集し、定期的にデータ収集局と通信を行って、自身が収集したデータを送信するように構成されてよい。一部の実施形態では、センサーは、データ収集局との通信を積極的に開始し、通信機能を示すデータを送信し、ＣＴＳ等に応答してデータをデータ収集局に伝送し始めるように構成されてよい。他の実施形態において、センサーは、データ収集局（又はアクセスポイント）による通信開始に応答して、データをデータ収集局（又はアクセスポイント）に送信してよい。
【００２７】
多くの実施形態において、データユニット構築部２０３は、１１ａｈ‐ＳＩＧフィールドを含むプリアンブルを作成してよい。該１１ａｈ‐ＳＩＧフィールドは、最下位ビット（ＬＳＢ）を第１に有する１６ビット長の長さフィールドである。長さフィールドは、送信ベクトル（ＴＸＶＥＣＴＯＲ）の長さを含むことができる。更なる実施形態において、データユニット構築部２０３は、１１ａｈ‐ＳＩＧフィールドを含むプリアンブルを作成してよい。該１１ａｈ‐ＳＩＧフィールドは、低密度パリティ検査（ＬＤＰＣ）を選択するための符号化（Coding）ビットと、ＬＤＰＣ期間曖昧さに関する別の符号化（Coding）ビットとを含む。データユニット構築部２０３は、１１ａｈ‐ＳＩＧフィールドを含むプリアンブルを作成してよい。該１１ａｈ‐ＳＩＧフィールドは、ビームフォーミング（ＴｘＢＦ）を伝送するビットを含む。例えば、一部の実施形態では、ＴｘＢＦビットを論理的に１に設定して、ビームフォーミング機能をもつ通信デバイスに対し、データパケットの送信に関してビームフォーミングを行うべきであることを示してもよいし、ＴｘＢＦビットを論理的に０に設定して、保護機構（Protection  Mechanism）フレームの送信に関してビームフォーミングを行うべきでないことを示してもよい。
【００２８】
送受信機２００は、受信機２０４及び送信機２０６を有する。送信機２０６は、符号器２０８、変調器２１０、ＯＦＤＭ２１２及びＤＢＦ２１４のうち１以上を有してよい。送信機２０６の符号器２０８は、ＭＡＣサブレイヤ論理回路２０１から送信されるデータを受信する。ＭＡＣサブレイヤ論理回路２０１は、送受信機２００に対して、データをブロック又は記号（例えば数バイトのデータ）として表してよい。符号器２０８は、多くの既知又は開発中のアルゴリズムのうちいずれか１つを用いて、データを符号化してよい。符号化は、複数の異なる目的のうち１以上を達成するために行われてよい。例えば、符号化を行って、送信される情報の各記号を伝達するために送られる必要のある平均ビット数を低減することができる。符号化を行って、受信機で記号検出を行う際にエラーが起こる可能性を低減することができる。結果として、符号器は、データストリームに冗長性をもたらすおそれがある。冗長性が付加されると、情報を送信するのに必要なチャネル帯域幅が増大してしまうが、結果としてエラーが少なくなり、低電力で信号を送信することができる。符号化には、セキュリティ上暗号化が含まれてよい。
【００２９】
本実施形態において、符号器２０８は、時空間ブロック符号化（Space-Time  Block  Coding：ＳＴＢＣ）、バイナリ畳み込み符号化（Binary  Convolutional  Coding：ＢＣＣ）、低密度パリティ検査符号化（ＬＤＰＣ）等の符号化を実行してよい。
【００３０】
送信機２０６の変調器２１０は、符号器２０８からデータを受信する。変調器２１０の目的は、符号器２０８から受信されるバイナリデータの各ブロックを、固有の連続時間波形に変換することである。該連続時間波形は、アップコンバージョン及び増幅が行われ次第、アンテナによって送信される。変調器２１０は、受信されたデータブロックを、選択された周波数の正弦波に乗せる。より具体的には、変調器２１０は、データブロックを、正弦波の対応する一連の離散振幅、又は正弦波の一連の離散位相、又は正弦波の周波数に対する一連の離散周波数偏移にマッピングする。変調器２１０の出力は、バンドパス信号である。
【００３１】
送受信機２００は、アンテナアレイ２１８に接続されるダイプレクサ２１６を有してもよい。よって、本実施形態では、送信と受信の両方に単一のアンテナアレイが用いられる。送信では、信号はダイプレクサ２１６を通り、アップコンバートされた情報を含む信号、ｘにより、アンテナを駆動する。送信中、ダイプレクサ２１６は、送信される信号が受信機２０４に入るのを防止する。送信では、アンテナアレイにより受信される情報を含む信号は、ダイプレクサ２１６を通って、アンテナアレイから受信機２０４に伝達される。ダイプレクサ２１６は、受信された信号が送信機２０６に入るのを防止する。このように、ダイプレクサ２１６は、アンテナアレイ要素を受信機２０４と送信機２０６とに交互に接続するスイッチとして動作する。
【００３２】
アンテナアレイ２１８は、時間により変化する電磁エネルギーの空間分布に情報を含む信号を放射し、該信号は、受信機のアンテナにより受信することができる。受信機は、受信した信号の情報を抽出することができる。アンテナ要素のアレイは多重空間チャネルを形成することができ、該空間チャネルを操作して、システム性能を最適化することができる。一方、受信アンテナにおける放射パターンの多重空間チャネルは、異なる空間チャネルに分離することができる。したがって、アンテナアレイ２１８の放射パターンは、選択性が高いものになり得る。アンテナアレイ２１８は、プリント基板のメタライゼーション技術を用いて実装されてよい。アンテナアレイ２１８の候補としては、マイクロストリップ、ストリップ線路、スロットライン、パッチ等がある。
【００３３】
送受信機２００は、情報を含む信号を受信し、復調し且つ復号する受信機２０４を有してよい。受信機２０４は、ＤＢＦ２２０、ＯＦＤＭ２２２、復調器２２４及び復号器２２６のうち１以上を有してよい。受信された信号は、アンテナ要素２１８からデジタルビームフォーマー（Digital  Beam  Former：ＤＢＦ）２２０に送られる。ＤＢＦ２２０は、Ｎアンテナ信号をＬ情報信号に変換する。
【００３４】
ＤＢＦ２２０の出力は、ＯＦＤＭ２２２に送られる。ＯＦＤＭ２２２は、情報を含む信号が変調された複数の副搬送波から、信号情報を抽出する。
【００３５】
復調器２２４は、受信された信号を復調する。復調は、受信された信号から情報を抽出して、復調されていない情報信号を生成するプロセスである。復調の方法は、情報が受信された搬送信号へ変調された方法によって異なる。よって、例えば変調がＢＰＳＫである場合、復調では位相検出を用いて、位相情報をバイナリシーケンスに変換する。復調により、復号器には情報のビット配列が提供される。復号器２２６は、復調器２２４から受け取ったデータを復号し、復号した情報、ＭＰＤＵを、ＭＡＣサブレイヤ論理回路２０２に送信する。
【００３６】
当業者には当然であるように、送受信機は、図２に示されていない多くの追加的な機能を有してよい。また、受信機２０４及び送信機２０６は、１つの送受信機として一体化せずに、別個のデバイスとすることができる。例えば、送受信機の実施形態には、ダイナミックランダムアクセスメモリ（ＤＲＡＭ）、基準発振器、フィルター回路構成、同期化回路構成があり、場合によっては多重周波数変換段及び多重増幅段等がある。更に、図２に示す機能の一部を統合してよい。例えば、デジタルビームフォーミングは、直交周波数分割多重と統合されてよい。
【００３７】
図３Ａ及び３Ｂを参照する。図３Ａ及び３Ｂは、本開示の様々な態様及び原理に係る、ＴＡＣＫフレームと呼ばれる制御フレームの実施形態を示す図である。ＴＡＣＫフレームは、８０２．１１ａｈの仕様で提案されている制御フレームであり、ＡＣＫフレームの変形である。ＴＡＣＫフレームは、ビーコンシーケンス（Beacon  Sequence）フィールド、パーシャルタイムスタンプ（Partial  Timestamp）フィールド及びネクストＴＷＴ（Next  TWT）フィールドを含む。
【００３８】
ＴＡＣＫフレームには、以下の様々なフィールドが含まれる。（ａ）ＲＡフィールド（６オクテット）は、フレームの目的受信先のアドレスを含む。（ｂ）ＴＡフィールド（６オクテット）は、フレームの送信機のアドレスを含む。（ｃ）ビーコンシーケンスフィールド（Beacon  Sequence）（１オクテット）は、直近に送信されたビーコンからのＣｈａｎｇｅ  Ｓｅｑｕｅｎｃｅフィールドの値を含む。（ｄ）パーシャルタイムスタンプ（Partial  Timestamp）フィールド（５オクテット）は、該Ｐａｒｔｉａｌ  Ｔｉｍｅｓｔａｍｐ値の１番目のビットを含むデータシンボルがＰＨＹに送信される時点での送信側ＳＴＡのＴＳＦタイマー値に、ローカルＰＨＹを介してＭＡＣ−ＰＨＹインターフェースからＷＭとのインターフェースまでの送信側ＳＴＡの遅延を加えた値の、最下位５オクテットを含む。（ｅ）Ｎｅｘｔ  ＴＷＴフィールド（６オクテット）は、次回のＴＷＴ値に対応するＴＳＦタイマー値の最下位６バイトとしての、フレームの目的受信先であるＳＴＡに対する次回のＴＷＴ値を含む。Ｎｅｘｔ  ＴＷＴフィールドにおいて、値０は、該フレームがＮｅｘｔ  ＴＷＴ値を搬送しないことを意味する。また、ＴＡＣＫフレームは、フレーム制御（Frame  Control：ＦＣ）フィールド（２オクテット）を含む。ＦＣフィールドに含まれる制御情報は、８０２.１１ＭＡＣフレームのタイプを定義するのに用いられ、また、続くフィールドにＭＡＣフレームがどのように処理されるかを伝えるのに必要な情報を提供することに用いられる。また、ＴＡＣＫフレームは、フレームチェックシーケンス（ＦＣＳ）フィールド（４オクテット）を含む。ＦＣＳフィールドは、送信中にフレーム内でエラーが発生したかを確認するのに用いられる。
【００３９】
Ｎｅｘｔ  ＴＷＴフィールドは、ＡＰとＴＷＴスケジュールを設定したＳＴＡに関して用いられるものであり、ＴＷＴスケジュールを設定していないＳＴＡに関しては不必要である場合がある。ＴＷＴを使用していないＳＴＡは、ＡＰにおいて何らかの変更があるのかを判定するために、又はビーコンを受信することなくＡＰのＴＳＦに同期するために、Ｂｅａｃｏｎ  Ｓｅｑｕｅｎｃｅ情報へのアクセスを希望する場合がある。Ｎｅｘｔ  ＴＷＴフィールドは６オクテット長であり、図３Ａの制御パケットがＴＷＴを設定していないＳＴＡに対して用いられた場合にオーバーヘッドを増大させてしまう可能性がある。
【００４０】
ある実施形態において、図３Ｂに示されるように、Ｎｅｘｔ  ＴＷＴフレームは、任意に含まれてよい。そのような実施形態では、ＡＰとＴＷＴスケジュールを設定していないＳＴＡは、Ｎｅｘｔ  ＴＷＴフィールドにより生じる６オクテットのオーバーヘッドを含まないＴＡＣＫフレームを用いて、ＡＰの変更を把握し、又はビーコンを受信することなくＡＰのＴＳＦに同期することができる。様々な実施形態において、Ｎｅｘｔ  ＴＷＴフレームが含まれること（又は含まれないこと）は、ＴＡＣＫフレームのＦＣフィールド内のビットを用いて示されるようにしてよい。
【００４１】
図４Ａは、本開示の様々な態様及び原理に係る、典型的なＦＣフィールドを示す図である。ＦＣフィールドは、以下のような情報を含んでよい。例えば（ａ）プロトコルバージョン（２ビット）、（ｂ）タイプ及びサブタイプ（それぞれ２ビットと４ビット）、（ｃ）帯域インディケーション（Bandwidth  Indication）（３ビット）、（ｄ）ダイナミックインディケーション（Dynamic  Indication）（１ビット）、（ｅ）電力管理（Power  Management）（１ビット）、（ｆ）モアデータ（More  Data）（１ビット）、（ｇ）保護フレーム（Protected  Frame）（１ビット）及び（ｈ）オーダー（Order）（１ビット）を含んでよい。タイプ及びサブタイプのサブフィールドは、フレームの機能を決定するのに用いられる。
【００４２】
図４Ｂは、本開示の様々な態様及び原理に係る代替のＦＣフィールドを示す。該代替のＦＣフィールドは、例えばプロトコルバージョン（２ビット）、タイプ及びサブタイプ（それぞれ２ビットと４ビット）、帯域インディケーション（３ビット）、ダイナミックインディケーション（Dynamic  Indication）（１ビット）、Ｎｅｘｔ  ＴＷＴの有無（Next  TWT  Present）（１ビット）、モアデータ（More  Data）（１ビット）、Ｓ１Ｇ制御拡張（２ビット）等の情報を含んでよい。
【００４３】
一部の実施形態では、Ｓ１Ｇ制御拡張フィールドを用いて、以下の表１に示すような構成に従うＳ１Ｇ制御フレームを示してよい。
【００４４】
【表１】
0005985742.tif 000002
【００４５】
図５は、本開示の様々な態様及び原理に係るＳＴＡＣＫ制御フレームの一実施形態を示す図であり、図６は、本開示の様々な態様及び原理に係るＢＡＴ制御フレームの一実施形態を示す図である。図５及び図６に見られるように、ＳＴＡＣＫ制御フレーム及びＢＡＴ制御フレームには、ＴＡＣＫ制御フレームと同様の情報が含まれる。そのようなものとして、様々な実施形態において、ＡＰとＴＷＴスケジュールを設定していないＳＴＡの実施形態においてＮｅｘｔ  ＴＷＴフィールドにより生じるオーバーヘッドを減らすために、図４Ｂに示されるＦＣフィールドを変更したものをＳＴＡＣＫフレーム及びＢＡＴフレームに用いてよい。
【００４６】
一実施形態は、送受信機を有する装置として実施されてよい。該送受信機は、制御フレームを含む第１のデータユニットをデバイスに送信して、無線ネットワークにおいて該装置を該デバイスに関連付けるように構成される。また、一実施形態は、本明細書に記載の方法を実行するように構成されるプロセッサ等のハードウェア機器として実施されてよい。
【００４７】
別の実施形態は、本明細書に記載のシステム及び方法を実施するためのプログラムとして実施される。一部の実施形態は、完全にハードウェアの実施形態をとることができ、完全にソフトウェアの実施形態をとることもでき、或いはハードウェア要素とソフトウェア要素の両方を含む実施形態をとることもできる。一部の実施形態は、ソフトウェアとして実施されてよい。例えば、ファームウェア、常駐ソフトウェア、マイクロコード等として実施されてよい。
【００４８】
更に、実施形態は、コンピュータが利用できる媒体又はコンピュータ可読の媒体からアクセス可能なコンピュータプログラム（又はマシンがアクセス可能なコンピュータプログラム）の形態をとることができる。コンピュータが利用できる媒体又はコンピュータ可読の媒体は、コンピュータ又は命令を実行する任意のシステムにより用いられるか、或いはコンピュータ又は命令を実行する任意のシステムに関連して用いられるプログラムコードを提供する。本記載の目的のために、コンピュータが利用できる媒体又はコンピュータ可読の媒体は、命令を実行するシステム、装置若しくはデバイスにより用いられるプログラム、又は命令を実行するシステム、装置若しくはデバイスに関連して用いられるプログラムを有し、格納し、通信し、伝搬し、又は伝送することができる任意の装置とすることができる。
【００４９】
該媒体は、電子的、磁気的、光学的、電磁的、赤外線又は半導体のシステム（又は装置又はデバイス）とすることができる。コンピュータ可読の媒体の例としては、半導体すなわち固体のメモリ、磁気テープ、着脱式のコンピュータフロッピー（登録商標）ディスク、ＲＡＭ（Random  Access  Memory）、ＲＯＭ（Read-Only  Memory）、剛性磁気ディスク、光ディスク等がある。現在、光ディスクの例としては、ＣＤ−ＲＯＭ（Compact  Disk-Read  Only  Memory）、ＣＤ−ＲＷ（Compact  Disk-Read／Write）、ＤＶＤ等がある。
【００５０】
プログラムコードを格納及び／又は実行するデータ処理システムは、少なくとも１つのプロセッサを有するものである。該少なくとも１つのプロセッサプロセッサは、システムバスを介して、直接又は間接にメモリ要素に接続される。メモリ要素には、プログラムコードを実際に実行する際に用いられるローカルメモリ、大容量記憶装置及び実行中に大容量記憶装置からコードを読み出す回数を減らす目的で少なくとも一部のプログラムコードを一時的に格納するキャッシュメモリが含まれ得る。
【００５１】
上述の論理回路は、集積回路チップ設計の一部であってよい。チップ設計は、グラフィカルコンピュータプログラミング言語として作成され、コンピュータ記憶媒体（例えばディスク、テープ、物理的ハードドライブ、又はストレージアクセスネットワーク等に含まれる仮想ハードドライブ）に格納される。設計者は、チップやチップ作製に用いられるフォトリソグラフィーマスクを自身で作製しない場合、物理的手段よって（例えば該設計を格納する記憶媒体をコピーして）、又はコンピュータを用いて（例えばインターネットを介して）、結果として得られた設計を、直接的又は間接的にそのような実体へと送信する。そして、格納された設計は、作製に向けて適切な形式（例えばＧＤＳＩＩ）に変換される。
【００５２】
結果として得られる集積回路チップは、作製者により、むき出しのダイとして未加工のウエハ（すなわち、複数の未パッケージチップを有する単一のウエハ）の状態で流通することができ、或いは、パッケージされた状態で流通することもできる。パッケージされる場合、チップは、単一のチップパッケージ（例えばリードがマザーボードに装着されたプラスチックキャリアや、より高水準のキャリア）又はマルチチップパッケージ（例えば、表面配線と埋設配線のいずれか又は両方を有するセラミックキャリア）に取り付けられる。いずれの場合も、チップは（ａ）マザーボード等の中間製品か（ｂ）最終製品のいずかの一部として、他のチップや個別の回路要素、他の信号処理デバイスと一体化される。
【００５３】
例
以下の例により、本開示の様々な態様及び原理における、限定されない特徴及び特性を明らかにする。
【００５４】
例１は、ターゲット復帰時間（Target  Wake  Time：ＴＷＴ）スケジュールのない端末局（ＳＴＡ）がアクセスポイント（ＡＰ）変更の判定又はＡＰとの同期を行えるようにする方法である。該方法は、制御フレームのフレーム制御（Frame  Control：ＦＣ）フィールドの１ビットを用いて、ネクストＴＷＴ（Next  TWT）フィールドの有無を示すステップを含む。該Ｎｅｘｔ  ＴＷＴフィールドは、任意に該制御フレームに含まれる。該Ｎｅｘｔ  ＴＷＴフィールドは、該制御フレームの目的受信先に対する次回のターゲット復帰時間の値を含む。
【００５５】
例２は、該制御フレームが、ＴＡＣＫフレーム、ＳＴＡＣＫフレーム及びＢＡＴフレームのうち１以上を含むＳ１Ｇ制御フレームである、例１の方法である。
【００５６】
例３は、該ＦＣフィールドの２ビットが、異なる制御フレームを示すのに用いられる、例１又は２の方法である。
【００５７】
例４は、該ＦＣフィールドの１つのサブタイプ値が、該フレームをＳ１Ｇ制御フレーム又はＴＧａｈ制御フレームとして示すために用いられる、例１〜３のいずれか１つの方法である。
【００５８】
例５は、ターゲット復帰時間（Target  Wake  Time：ＴＷＴ）スケジュールのない端末局（ＳＴＡ）が、アクセスポイント（ＡＰ）の変更の判定又は該ＡＰとの同期を行えるようにするシステムである。該装置は、特定の値に設定されるビットを含むフレームを生成するように構成される媒体アクセス制御サブレイヤ論理モジュールを備える。該ビットの該値は、該装置が、制御フレームの目的受信先に対する次回のターゲット復帰時間の値を含む任意のネクストＴＷＴ（Ｎｅｘｔ  ＴＷＴ）フィールドに対応するかを示す。また、該装置は、該制御フレームを含む第１のデータユニットをデバイスに送信して、無線ネットワークにおいて該装置を該デバイスと接続するように構成される送受信機を備える。
【００５９】
例６は、該制御フレームが、該Ｎｅｘｔ  ＴＷＴフィールドの有無を示すビットを含むフレーム制御ビットを有する、例５のシステムである。
【００６０】
例７は、該制御フレームが、ＴＡＣＫフレーム、ＳＴＡＣＫフレーム及びＢＡＴフレームのうち１以上を含むＳ１Ｇ制御フレームである、例５又は６のシステムである。
【００６１】
例８は、該ＦＣフィールドの２ビットが、異なる制御フレームを示すのに用いられる、例５〜７のうちいずれか１つのシステムである。
【００６２】
例９は、該ＦＣフィールドの１つのサブタイプ値が、該フレームをＳ１Ｇ制御フレーム又はＴＧａｈ制御フレームとして示すのに用いられる、例５〜８のうちいずれか１つのシステムである。
【００６３】
例１０は、コンピュータ可読媒体を備えるコンピュータプログラムである。該コンピュータ可読媒体は、例１〜４のうちいずれか１つの方法を実行するように構成されるコンピュータプログラム論理を記録する。
【００６４】
例１１は、物理的に具現化されるコンピュータ可読コードを備えるコンピュータ可読媒体である。該コンピュータ可読コードは、プロセッサにより実行されると、該プロセッサに例１〜４のいずれか１つの方法を実行させる。
【００６５】
例１２は、例１〜４のいずれか１つの方法を実行する手段を備える電子デバイスである。
【００６６】
例１３は、プロセッサを備える電子デバイスであって、メモリと接続され、例１〜４のいずれか１つの方法を実行するための命令を実行する、電子デバイスである。
【００６７】
例１４は、例１〜４のいずれか１つの方法を実行する手段を備えるシステムである
例１５は、少なくとも１つの電子デバイスを備えるシステムであって、前記電子デバイスは、メモリと接続され、例１〜４のいずれか１つの方法を実行するための命令を実行する、システムである。
【００６８】
例１６は、該ＦＣフィールドの２ビットが、異なる制御フレームを示すのに用いられる、例１の方法である。
【００６９】
例１７は、該ＦＣフィールドの１つのサブタイプ値が、該フレームをＳ１Ｇ制御フレーム又はＴＧａｈ制御フレームとして示すのに用いられる、例１の方法である。
【００７０】
例１８は、該制御フレームが、ＴＡＣＫフレーム、ＳＴＡＣＫフレーム及びＢＡＴフレームのうち１以上を含むＳ１Ｇ制御フレームである、例５のシステムである。
【００７１】
例１９は、該ＦＣフィールドの２ビットが、異なる制御フレームを示すのに用いられる、例５のシステムである。
【００７２】
例２０は、該ＦＣフィールドの１つのサブタイプ値が、該フレームをＳ１Ｇ制御フレーム又はＴＧａｈ制御フレームとして示すのに用いられる、例５のシステムである。
【００７３】
例２１は、コンピュータ可読媒体を備えるコンピュータプログラムである。該コンピュータ可読媒体は、例１の方法を実行するように構成されるコンピュータプログラム論理を記録する。
【００７４】
例２２は、物理的に具現化されるコンピュータ可読コードを備えるコンピュータ可読媒体である。該コンピュータ可読コードは、プロセッサにより実行されると、該プロセッサに例１の方法を実行させる。
【００７５】
例２３は、例１の方法を実行する手段を備える電子デバイスである。
【００７６】
例２４は、プロセッサを備える電子デバイスである。該プロセッサは、メモリと接続され、例１の方法を実行するための命令を実行する。
【００７７】
例２５は、例１の方法を実行する手段を備えるシステムである。
【００７８】
例２６は、少なくとも１つの電子デバイスを含むシステムである。該電子デバイスはプロセッサを有し、該プロセッサは、メモリと接続され、例１〜４の方法を実行するための命令を実行する。
【００７９】
例２７は、実行されると例１の方法を実行するコンピュータ可読命令を含む、コンピュータ可読媒体である。
【００８０】
例２８は、実行されると例１〜４のうちいずれか１つの方法を実行するコンピュータ可読命令を含む、コンピュータ可読媒体である。
【図１】
0005985742.tif 000003
【図２】
0005985742.tif 000004
【図３Ａ】
0005985742.tif 000005
【図３Ｂ】
0005985742.tif 000006
【図４Ａ】
0005985742.tif 000007
【図４Ｂ】
0005985742.tif 000008
【図５】
0005985742.tif 000009
【図６】
0005985742.tif 000010